(57)【要約】      （修正有）【課題】防水構造の組立作業を容易にし、また、パッキング材の組付け時のバラツキによる不具合も生じず、防水性能も極めて高い携帯用無線器を提供する。【解決手段】シャーシ１４に回路部材とコネクター２８とを取り付けて上面パネル１２と接合する。その上面パネル１２の下部ケース１１の開口１０との嵌合端とシャーシ１４のコネクター２８の全周にパッキング材３３、３４を取り付ける。そして、シャーシ１４を嵌入端２６から下部ケース１１へ嵌入し、その嵌入されたシャーシ１４へ下部ケース１１の底面１５の挿通孔１８からＯリング１９を介してネジ３５を挿通して前記シャーシ１４のネジ孔２９に螺合させて締めつける。【選択図】図１
2006210787.tif 000002
【特許請求の範囲】
【請求項１】
上部を開口した下部ケースと前記開口に嵌合される蓋部材からなるケース本体と、前記ケース本体に開口を介して嵌入されるシャーシとからなり、
上記下部ケースは、底面にコネクターの突出口とネジの挿通孔とが設けられ、
一方、上記シャーシは、回路部材を保持する取り付け部が設けられ、かつ、上記開口への嵌入端に、下部ケースの突出口に嵌入されるコネクターと下部ケースのネジの挿通孔に連通するネジ孔を形成した係合部が設けられるとともに、他端には、上記蓋部材と接合される係止部が設けられ、
上記シャーシに回路部材とコネクターとを取り付けて蓋部材と接合し、その蓋部材の開口との嵌合端に止水用のパッキング材を取り付けるとともに、シャーシのコネクターの全周にも止水用のパッキング材を取り付けて、シャーシの嵌入端を下部ケースへ開口を介して嵌入し、前記嵌入されたシャーシの係合部へ下部ケースの底面の挿通孔からＯリングを介してネジを挿通し、挿通したネジを前記シャーシの係合部のネジ孔に螺合させて締めつけることにより、止水を行う携帯用無線器の防水構造。
【請求項２】
上記下部ケースの底面のネジの挿通孔を底面の中心軸に対して左右対称に形成し、その左右対称に形成した挿通孔に連通するように上記シャーシの係合部のネジ孔を設けた請求項１に記載の携帯用無線器の防水構造。
【請求項３】
上記シャーシの回路部材と接続されるアンテナ及び操作用の部品を蓋部材に取り付けた請求項１または２に記載の携帯用無線器の防水構造。
【発明の詳細な説明】
【技術分野】
【０００１】
この発明は、主にハンディタイプの携帯用無線器の防水構造に関するものである。
【背景技術】
【０００２】
防災関係や建設現場あるいはレジャーなどで軽便に使用されるハンディタイプの携帯用無線器（例えば、建設現場での重機オペレータと作業員との連絡用途や装置オペレータあるいは接客業でハンドフリーでの連絡用途などの特定小電力トランシーバー）には、過酷な条件で使用されることも多いので、優れた防水性能が求められる。
【０００３】
そのため、ケースの嵌合部に気密性を与える一つの方法として、例えば、一次成形材料としてポリカーボネートなどの樹脂材料を用いて基体を成形し、その一次成形品の表面の少なくとも気密を要する相手材との防水ライン（接合部）に、二次成形材料として、軟質熱可塑性ポリエステルエラストマーなどの樹脂材料を用いた二重成形品を採用することが行われている。
【０００４】
ところが、防水ラインにエラストマーを採用する方法は、ケース単品にシーリング材が固着されるのでパッキンが不要となり、組立工数の削減に寄与する効果がある反面、成形のバラツキによる防水ラインの寸法ズレやそれに伴う寸法ズレの調整が難しく、例えば、ＪＩＳ保護等級７防浸形（ケースの最下部が水面下１ｍで３０分間水中に没しても内部に水がはいらないもの）級の防水構造としては採用できない問題があった。
【０００５】
このような問題を解決する方法として、パッキングの性能を向上させることが考えられる。従来のパッキングは、例えば、（特許文献１）に示す図５（ａ）のようなものがある。
【０００６】
すなわち、このものでは、ケースを前面ケース１ａと後面ケース１ｂとで構成し、前後面ケース１ａ、１ｂの嵌合面の全周に溝を形成して、その溝にゴム製のパッキング材２を嵌め込むというものである。その際、図５（ｂ）のように、前記溝３の形状を変形させたり、パッキング材２にリブ４を設けたりすることにより、防水性能の向上を図るというものである。
【特許文献１】特開平１０−７０３７５号公報
【発明の開示】
【発明が解決しようとする課題】
【０００７】
しかしながら、上記のように前後面ケースの嵌合面の全周に溝を形成してパッキング材を嵌め込むという方法では、パッキング材をケースの全周に渡って所定位置に装着し、組み立てて密閉操作を行わなければならないので、極めて煩雑で細かな組立作業をこなさなければならず、そのため、パッキング材の組付け時のバラツキが生じやすく、不具合を生じやすい問題がある。
【０００８】
そこで、この発明の課題は、携帯用無線器の防水構造の組立作業を容易にし、また、パッキング材の組付け時のバラツキによる不具合も生じず、防水性能も極めて高くすることである。
【課題を解決するための手段】
【０００９】
上記の課題を解決するため、この発明では、上部を開口した下部ケースと前記開口に嵌合される蓋部材からなるケース本体と、前記ケース本体に開口を介して嵌入されるシャーシとからなり、上記下部ケースは、底面にコネクターの突出口とネジの挿通孔とが設けられ、一方、上記シャーシは、回路部材を保持する取り付け部が設けられ、かつ、上記開口への嵌入端に、下部ケースの突出口に嵌入されるコネクターと下部ケースのネジの挿通孔に連通するネジ孔を形成した係合部が設けられるとともに、他端には、上記蓋部材と接合される係止部が設けられ、上記シャーシに回路部材とコネクターとを取り付けて蓋部材と接合し、その蓋部材の開口との嵌合端に止水用のパッキング材を取り付けるとともに、シャーシのコネクターの全周にも止水用のパッキング材を取り付けて、シャーシの嵌入端を下部ケースへ開口を介して嵌入し、前記嵌入されたシャーシの係合部へ下部ケースの底面の挿通孔からＯリングを介してネジを挿通し、挿通したネジを前記シャーシの係合部のネジ孔に螺合させて締めつけることにより、止水を行うという構成を採用したのである。
【００１０】
このような構成を採用することにより、下部ケースの底面から挿通したネジを締め込むと、シャーシが下部ケースの底面側へ進出し、そのシャーシの嵌入端の進出に伴って、蓋部材が下部ケースの開口と嵌合する。すると、両者（蓋部材の嵌合端と下部ケースの開口）の間の隙間を止水用のパッキング材が潰れて塞ぐ。また、同時に、シャーシの嵌入端が底面側へ進出すると、シャーシのコネクターが下部ケースの突出口から突出する。それに伴ってコネクターに取り付けた止水用のパッキング材がコネクターと突出口との間に圧着し、潰れて隙間を塞ぐ。さらに、締めつけたネジにより、ネジに挿通したＯリングもネジに圧接されて潰れて両者の隙間を塞ぐ。このように底面のネジを締めつける（一方向に）だけで、パッキング材やＯリングによる全てのシールと組立を完了させることができる。
【００１１】
すなわち、ゴム部品などを使用した防水構造では、ある一定の潰し量でゴムを潰さなくてはならないが、潰し方向が同一（ここでは、ネジの締めつけによりパッキング材への圧接方向が同一なので潰し方向が同一である）であれば、各部品の寸法設定を調整することで、パッキング材やＯリングの潰し量を定量的に管理することができる。そのため、比較的容易に防水できる。ちなみに、潰し方向が異なると、どこかで隙間が空いていたり、組み方によっては潰れていなかったりすることがあるため防水が難しい問題が生ずる。
【００１２】
また、このとき、上記下部ケースの底面のネジの挿通孔を底面の中心軸に対して左右対称に形成し、その左右対称に形成した挿通孔に連通するように上記シャーシの係合部のネジ孔を設けた構成を採用したのである。
【００１３】
このような構成を採用することにより、下部ケースの底面に左右対称に形成した挿通孔にそれぞれネジを挿通し、挿通したネジを例えば、同一のトルクと同一の締めつけ量で締めつけるようにすれば、パッキング材やＯリングなどのシール部材に掛かる圧力がケースの左右で偏らないようにできるので、一定の潰し量でパッキン材を潰して高い防水効果を期待できる。
【００１４】
また、その際、上記シャーシの回路部材と接続されるアンテナ及び操作用の部品を蓋部材に取り付けた構成を採用することができる。
【００１５】
このような構成を採用することにより、蓋部材にシャーシを取り付けると、電気的な主要部品が装備されるので、この状態で性能確認ができる。そのため、下部ケースに収める前のこの段階で不良品の排除や手直しができるので、むだを生じず非常に効率的である。
【発明の効果】
【００１６】
この発明は、上記のように構成したことにより、携帯用無線器の防水構造の組立作業を容易にすることができる。
【００１７】
また、パッキング材やＯリングなどのシーリング材の組付け時のバラツキによる不具合も生じないようにできるので、防水性能も極めて高くすることができる。
【発明を実施するための最良の形態】
【００１８】
以下、この発明の最良の実施の形態を図面に基づいて説明する。
【００１９】
図１に示すように、この形態の携帯用無線器は、上部を開口１０した下部ケース１１と、その開口１０に嵌合される蓋部材（上面パネル）１２からなるケース本体１３と、前記ケース本体１３に開口１０を介して嵌入されるシャーシ１４とで構成されている。
【００２０】
上記下部ケース１１は、直方体の四隅を丸く成形した樹脂製のもので、内部は中空となっている。また、前述したように上部は開口１０となっており、その開口１０の周には、嵌合用の溝を形成してある。
【００２１】
さらに、下部ケース１１は、底部に底面１５を形成し、その底面１５の周囲に電池を保持するためのスリーブ１６を突出した形状となっている。
【００２２】
この下部ケース１１の底面１５には、中央にコネクター用の突出口１７が設けてある。前記突出口１７は、この形態では、コネクター２８の外形に合わせた楕円形をしており、例えば、この楕円の形をコネクター２８より少し大きめに形成して、コネクター２８の挿通を容易にするようにしておくこともできる（後でパッキング材３４により止水するので）。
【００２３】
また、前記突出口１７の両サイドには、ネジ３５の挿通孔１８が設けられている。前記挿通孔１８は、底面１５の中央の突出口１７を中心軸として左右対称に設けられており、その対称に設けられた各挿通孔１８は、図１のような段差を形成することにより、後述のＯリング１９を締めつけた際に逃げないようにする工夫をしてある。
【００２４】
上面パネル１２は、樹脂製のもので、アンテナコネクター３２とボリューム２２が取り付けられている。
【００２５】
すなわち、図２のように、上部の一方にアンテナコネクター３２を取り付けるための取り付け孔２１を設け、他方にスイッチ付ボリューム２２を取り付けるための取り付け孔２３を設けて、そのアンテナコネクター３２とボリューム２２の取り付け孔２１、２３の間に表示用のＬＣＤパネルを取り付けるための取り付け孔２４を設けた形状となっている。また、上面パネル１２の下部ケース１１の開口１０との嵌合部は、図１に示すように、下部ケース１１の開口１０と嵌合するように長方形の四隅を丸く成形したもので、その嵌合端の周囲には嵌合用の溝２５が形成されている。
【００２６】
シャーシ１４は、水平なパネルの両サイドにガイド用のパネルを立設して断面形状を略Ｈ形にしたアルミ製のもので、下部ケース１１の中空内に嵌入できるサイズに形成したものである。
【００２７】
また、前記シャーシ１４の下部ケース１１への嵌入端（図１では下端）２６に係合パネル２７を立設して、前記パネル２７にコネクター２８を取り付けるようになっている。前記コネクター２８は、この形態では、電源用の端子を備えたもので、前記パネル２７を貫通して後述するシャーシ１４の基板３０へ接続できるようになっている。
【００２８】
また、その係合パネル２７のコネクター２８の両側には、ネジ孔２９が形成されている。このネジ孔２９は、前述の下部ケース１１の底面の挿通孔１８と連通するもので、コネクター２８を中心軸として左右対称に設けられている。
【００２９】
一方、シャーシ１４の上端の両サイドには、アンテナコネクター３２とボリューム２２を係止するための例えばＬ形の治具などを取り付けられるように孔などが設けてある。
【００３０】
また、シャーシ１４の水平なパネルの部分は、回路基板３０や個別部品を取り付ける取り付け部となっており（表面と裏面共）、それらの回路部材を保持するために、例えばタップ孔などが設けられている。
【００３１】
この形態は、上記のように構成されており、この無線器では、例えば、まず、シャーシ１４に回路基板３０や個別部品を取り付ける。次に、コネクター２８をシャーシ１４の嵌入端２６の係合パネル２７に取り付けて回路基板３０と接続する。
【００３２】
さらに、基板３０にアンテナコネクター３２とボリューム２２を取り付けて、それぞれ、図２のように、Ｏリング３１を嵌めて上面パネル１２を被せたのち、ナット２０で締めて固定する。このようにナット２０で締めて固定したので、Ｏリング３１は上面パネル１２で潰されて隙間を塞いで止水する。
【００３３】
また、同時に、ＬＣＤパネルを取り付け孔２４に取り付け、これも基板３０に接続する。ちなみに、ＬＣＤパネルは、超音波溶着後にシーリング材を全周に塗布することにより、シーリングしている。
【００３４】
このように、上面パネル１２へのシャーシ１４の組付けができると、回路のテストを行う。そして、合格したものだけ（合格しなかったものは手直しして）を図１のように、上面パネル１２の溝（嵌合端の全周に渡って形成された）２５に、パッキング材３３を嵌める。この作業は溝２５に完全にパッキング材を嵌めなくとも、後でネジ締めによって嵌めるので簡単にすればよい。同時に、シャーシ１４のコネクター２８にもパッキング材３４を取り付ける。このパッキング材３４は、図１のようなスカート状のもので、コネクター２８の全周に渡って嵌める。このとき、コネクター２８はシャーシ１４から突出した小さなものなので、嵌めるのは容易にできる。
【００３５】
次に、そのパッキング材３３、３４を嵌めた上面パネル１２に組み付けられたシャーシ１４を嵌入端２６から開口１０へ挿入して下部ケース１１へ収容する。そして、上面パネル１２が下部ケース１１の開口１０に被さると、下部ケース１１の底面１５の挿通孔１８へ図１のようにＯリング１９を介して２本のネジ３５を挿通し、挿通したネジ３５をシャーシ１４の係合パネル２７のネジ孔２９と螺合させて図３（ａ）のように締めつける。
【００３６】
すると、図２のように、上面パネル１２の嵌合端の溝２５と下部ケース１１の開口１０とが嵌合し、両者の溝２５に嵌められたパッキング材３３が潰れて隙間を塞ぐ。同時に、図３（ｂ）のようにコネクター２８に取り付けたパッキング材３４はコネクター２８と突出口１７との隙間に圧着し、潰れて隙間を塞ぐ。さらに、締めつけたネジ３５により、ネジ３５に挿通したＯリング１９も挿通孔１８に圧接して潰れて両者の隙間を塞ぐ。その結果、図４のように防水構造の組立が終了する。このようにネジ３５を締めつけるだけで良いので、簡単に誰でも組み立てることができる。
【００３７】
このとき、２本のネジ３５を例えば、同一のトルクと同一の締めつけ量で締めつけるようにすれば（トルクドライバー等を使用すれば簡単である）、パッキング材３３やＯリング１９などのシール部材に掛かる圧力がケース１１の左右で偏らないようにできるので、一定の潰し量にパッキング材３３やＯリング１９を調整できる。そのため、高い防水効果を期待できる。
【００３８】
また、このようなパッキング材３３やＯリング１９などのゴム部品を使用した防水構造では、潰し方向が異なると、どこかで隙間が空いていたり、組み方によっては潰れていなかったりすることがあるが、ネジを締めることにより、全て同一方向（上下）に潰すことができるので、各部品の寸法設定を調整してパッキング材やＯリングの潰し量を定量的に管理することができるため、比較的容易にかつ、安価に防水できる。したがって、ＪＩＳ保護等級７防浸形級の防水構造として最適である。
【００３９】
なお、この形態では、シャーシ１４を固定するネジ３５の頭を棒状に長くしてあるが、これは、この棒状部分を図４のように、電池４０に食い込ませることで、前後方向のこじり荷重を受けるために使用したもので、通常のネジ３５を使用しても防水効果に影響は与えない。
【図面の簡単な説明】
【００４０】
【図１】実施形態の分解斜視図
【図２】実施形態の要部の断面図
【図３】（ａ）、（ｂ）実施形態の作用説明図
【図４】実施形態の断面図
【図５】（ａ）従来例の斜視図、（ｂ）従来例の要部の断面図
【符号の説明】
【００４１】
１０  開口
１１  下部ケース
１２  上面パネル
１４  シャーシ
１５  底面
１７  突出口
１８  挿通孔
１９  Ｏリング
２６  嵌入端
２７  係合パネル
２８  コネクター
２９  ネジ孔
３０  回路基板
３３  パッキング材
３４  パッキング材
３５  ネジ
【図１】
2006210787.tif 000003
【図２】
2006210787.tif 000004
【図３】
2006210787.tif 000005
【図４】
2006210787.tif 000006
【図５】
2006210787.tif 000007